(57)【要約】【課題】音声入力を待機している状態であっても、音質よく音楽再生を可能とすること。【解決手段】スマートフォン１０１は、マイク６と、スピーカー４、５と、を備えるヘッドセット１と無線通信を行う。スマートフォン１０１のＳｏＣは、バイブリットモード中の、マイク６への音声入力を受け付けるＡＩモードにおいて、音声入力に基づいて、音楽再生の指示を受け付けた場合、ヘッドセット１を、音楽再生を行う音楽モードに設定する。【選択図】図４
2020053740.tif 000002
【特許請求の範囲】
【請求項１】
マイクと、スピーカーと、を備える機器と無線通信を行う電子機器であって、
前記マイクへの音声入力を受け付ける第１モードにおいて、音声入力に基づいて、音楽再生の指示を受け付けた場合、前記機器を、音楽再生を行う第２モードに設定することを特徴とする電子機器。
【請求項２】
前記第１モードと、前記第２モードと、を含むハイブリットモードである場合、
前記機器を、前記第１モードに設定し、
前記第１モードにおいて、音声入力に基づいて、音楽再生の指示を受け付けた場合、前記機器を、前記第２モードに設定することを特徴とする請求項１に記載の電子機器。
【請求項３】
前記第２モードにおいて、前記マイクへの音声入力を受け付けないことを特徴とする請求項１又は２に記載の電子機器。
【請求項４】
前記第１モードにおいて、音声入力による所定のキーワードを受け付けた後、その他の音声入力を受け受け付けることを特徴とする請求項１〜３のいずれか１項に記載の電子機器。
【請求項５】
前記ハイブリットモード中ではない前記第１モードにおいて、音声入力に基づいて、音楽再生の指示を受け付けた場合、前記機器を、前記第２モードに設定しないことを特徴とする請求項２に記載の電子機器。
【請求項６】
前記ハイブリットモード中の前記第２モードにおいて、音声入力以外により、音楽再生停止の指示を受け付けた場合、前記機器を、前記第１モードに設定することを特徴とする請求項２に記載の電子機器。
【請求項７】
前記第１モード、前記第２モード、又は、前記ハイブリットモードの選択を受け付けることを特徴とする請求項２に記載の電子機器。
【請求項８】
前記第１モードにおいて、ＨＦＰ（Hands-Free Profile）、又は、ＨＳＰ（HeadSet Profile）に従って、前記機器と通信を行うことを特徴とする請求項１〜７のいずれか１項に記載の電子機器。
【請求項９】
前記第２モードにおいて、Ａ２ＤＰ（Advanced Audio Distribution Profile）に従って、前記機器と通信を行うことを特徴とする請求項１〜８のいずれか１項に記載の電子機器。
【請求項１０】
マイクと、スピーカーと、を備える機器と無線通信を行う電子機器の制御方法であって、
前記マイクへの音声入力を受け付ける第１モードにおいて、音声入力に基づいて、音楽再生の指示を受け付けた場合、前記機器を、音楽再生を行う第２モードに設定することを特徴とする電子機器の制御方法。
【請求項１１】
マイクと、スピーカーと、を備える機器と無線通信を行う電子機器の制御プログラムであって、
前記マイクへの音声入力を受け付ける第１モードにおいて、音声入力に基づいて、音楽再生の指示を受け付けた場合、前記機器を、音楽再生を行う第２モードに設定することを特徴とする電子機器の制御プログラム。
【発明の詳細な説明】
【技術分野】
【０００１】
本発明は、音声認識を行う電子機器、電子機器の制御方法、及び、電子機器の制御プログラムに関する。
【背景技術】
【０００２】
一般的なBluetooth（登録商標）（以下、「ＢＴ」という。）ヘッドセット、ＢＴスピーカーに、スマートデバイス（例えば、スマートフォン）をペアリングすることで、ＢＴ経由で、音楽再生、電話をすることができる。特許文献１には、ＢＴヘッドセットとスマートフォンとの通信において、音声認識時、ハイデータレートで通信し、音声通信時、ローデータレートで通信を行うことが開示されている。
【０００３】
音楽再生、電話には、それぞれ、ＢＴのプロファイルが割り当てられている。音楽再生のプロファイルは、Ａ２ＤＰ（Advanced Audio Distribution Profile）、電話のプロファイルは、ＨＦＰ（Hands-Free Profile）／ＨＳＰ（HeadSet Profile）である。電話時、ＢＴ機器に備えられたマイクは、装着者の発話を集音し、ＢＴ機器に備えられたスピーカーは、電話相手の声を出力する。これらのプロファイルに対応しているＢＴ機器において、音楽再生、電話をすることができる。
【０００４】
スマートデバイスのアプリケーションは、電話プロファイルを選択することによって、ＢＴ電話モードにすることができる。スマートデバイスのアプリケーションには、ＡＩ（人工知能）機能が備わっており、ＢＴ機器のマイクから入力された音声を解析することで、ＢＴ機器のスピーカーから、例えば、ユーザーからの質問に返答することができる。以降、これをＡＩモードという。ＡＩモード中、ユーザーが、ボイストリガー（例えば、「ハイ、オンキヨー」等のキーワード）を発することで、スマートデバイスは、例えば、ユーザーからの質問に返答する動作等を行うＡＩ動作に移行する。ＡＩモード中、ボイストリガーを常時受け付けるようにしておかないといけないため、ＢＴ機器のマイクは、常時集音状態となっており、通常の待ち受け状態より、消費電力量が高くなる。
【０００５】
また、ＡＩモード中、ＨＦＰ／ＨＳＰで通信を行う、ＢＴの電話モードであるため、音楽を電話モードで再生させると、音質が悪くなってしまう。ユーザーが、音楽を楽しむときは、Ａ２ＤＰプロファイルに従った音楽モードで、音楽を楽しむのが通常である。
【先行技術文献】
【特許文献】
【０００６】
【特許文献１】米国公開特許２００８／０３０００２５
【発明の概要】
【発明が解決しようとする課題】
【０００７】
上述のように、従来技術には、種々の問題がある。
【０００８】
本発明の目的は、音声入力を待機している状態であっても、音質よく音楽再生を可能とすることである。
【課題を解決するための手段】
【０００９】
第１の発明の電子機器は、マイクと、スピーカーと、を備える機器と無線通信を行う電子機器であって、前記マイクへの音声入力を受け付ける第１モードにおいて、音声入力に基づいて、音楽再生の指示を受け付けた場合、前記機器を、音楽再生を行う第２モードに設定することを特徴とする。
【００１０】
本発明では、マイクへの音声入力を受け付ける第１モードにおいて、音声入力に基づいて、音楽再生の指示が受け付けられた場合、機器が、音楽再生が行われる第２モードに設定される。これにより、音声入力を待機している状態であっても、音質よく音楽再生を行うことができる。また、既存の機器において、音楽再生と音声入力（音声認識）とを併用することができる。
【００１１】
第２の発明の電子機器は、第１の発明の電子機器において、前記第１モードと、前記第２モードと、を含むハイブリットモードである場合、前記機器を、前記第１モードに設定し、前記第１モードにおいて、音声入力に基づいて、音楽再生の指示を受け付けた場合、前記機器を、前記第２モードに設定することを特徴とする。
【００１２】
第３の発明の電子機器は、第１又は第２の発明の電子機器において、前記第２モードにおいて、前記マイクへの音声入力を受け付けないことを特徴とする
【００１３】
第４の発明の電子機器は、第１〜第３のいずれかの発明の電子機器において、前記第１モードにおいて、音声入力による所定のキーワードを受け付けた後、その他の音声入力を受け受け付けることを特徴とする。
【００１４】
第５の発明の電子機器は、第２の発明の電子機器において、前記ハイブリットモード中ではない前記第１モードにおいて、音声入力に基づいて、音楽再生の指示を受け付けた場合、前記機器を、前記第２モードに設定しないことを特徴とする。
【００１５】
第６の発明の電子機器は、第２の発明の電子機器において、前記ハイブリットモード中の前記第２モードにおいて、音声入力以外により、音楽再生停止の指示を受け付けた場合、前記機器を、前記第１モードに設定することを特徴とする。
【００１６】
第７の発明の電子機器は、第２の発明の電子機器において、前記第１モード、前記第２モード、又は、前記ハイブリットモードの選択を受け付けることを特徴とする。
【００１７】
本発明では、第１モード、第２モード、又は、ハイブリットモードの選択が受け付けられる。これにより、ユーザーは、趣向に応じて、いくつかのモードを切り替えることができる。
【００１８】
第８の発明の電子機器は、第１〜第７のいずれかの発明の電子機器において、前記第１モードにおいて、ＨＦＰ（Hands-Free Profile）、又は、ＨＳＰ（HeadSet Profile）に従って、前記機器と通信を行うことを特徴とする。
【００１９】
第９の発明の電子機器は、第１〜第８のいずれかの発明の電子機器において、前記第２モードにおいて、Ａ２ＤＰ（Advanced Audio Distribution Profile）に従って、前記機器と通信を行うことを特徴とする。
【００２０】
第１０の発明の電子機器の制御方法は、マイクと、スピーカーと、を備える機器と無線通信を行う電子機器の制御方法であって、前記マイクへの音声入力を受け付ける第１モードにおいて、音声入力に基づいて、音楽再生の指示を受け付けた場合、前記機器を、音楽再生を行う第２モードに設定することを特徴とする。
【００２１】
第１１の発明の電子機器の制御プログラムは、マイクと、スピーカーと、を備える機器と無線通信を行う電子機器の制御プログラムであって、前記マイクへの音声入力を受け付ける第１モードにおいて、音声入力に基づいて、音楽再生の指示を受け付けた場合、前記機器を、音楽再生を行う第２モードに設定することを特徴とする。
【発明の効果】
【００２２】
本発明によれば、音声入力を待機している状態であっても、音質よく音楽再生を行うことができる。
【図面の簡単な説明】
【００２３】
【図１】本発明の実施形態に係るスマートフォンとヘッドセットとの構成を示すブロック図である。
【図２】ＡＩモードにおけるヘッドセット、スマートフォンの処理動作を示すシーケンス図である。
【図３】音楽モードにおけるヘッドセット、スマートフォンの処理動作を示すシーケンス図である。
【図４】ハイブリットモードにおけるヘッドセット、スマートフォンの処理動作を示すシーケンス図である。
【発明を実施するための形態】
【００２４】
以下、本発明の実施形態について説明する。図１は、本発明の実施形態に係るスマートフォンとヘッドセットとの構成を示すブロック図である。ヘッドセット１は、スマートフォン１０１とBluetooth（登録商標。以下、「ＢＴ」という。）規格に従って、無線通信を行う。図１に示すように、ヘッドセット１（機器）は、ＳｏＣ（System on Chip）２、増幅部３、スピーカー４、５、マイク６、ＤＳＰ（Digital Signal Processor）７等を備える。
【００２５】
ＳｏＣ２（制御部）は、ＣＰＵ（Central Processing Unit）、ＤＳＰ（Digital Signal Processor）、メモリ等を有し、ヘッドセット１を構成する各部を制御する。また、ＳｏＣ２は、ＢＴ通信機能を備えており、スマートフォン１０１と、ＢＴ無線通信を行う。ＳｏＣ２は、スマートフォン１０１から、例えば、音声信号を受信する。ＳｏＣ２は、スマートフォン１０１から受信した音声信号を、増幅部３に出力する。
【００２６】
増幅部３には、ＳｏＣ２からＩ２Ｓ形式の音声信号が出力される。増幅部３は、音声信号を増幅し、増幅した音声信号をスピーカー４、５に出力する。スピーカー４には、Ｌチャンネルの音声信号が出力される。スピーカー５には、Ｒチャンネルの音声信号が出力される。スピーカー４、５は、音声信号に基づいて、音声を外部に出力する。すなわち、ＳｏＣ２は、増幅部３に音声信号を出力することで、スピーカー４、５から、音声を出力する。このように、ヘッドセット１は、スマートフォン１０１から出力された音声信号に基づいて、音声を出力する。
【００２７】
マイク６は、周囲の音声を集音する。マイク６により集音された音声信号は、ＤＳＰ７に出力される。ＤＳＰ７は、マイク６により集音された音声信号に対して、ノイズキャンセル、エコーキャンセル等を行う。また、ＤＳＰ７は、ノイズキャンセル、エコーキャンセル等を行ったＩ２Ｓ形式の音声信号をＳｏＣ２に出力する。ＳｏＣ２は、音声信号をスマートフォン１０１に送信する。
【００２８】
スマートフォン１０１（電子機器）は、図示しないが、ＳｏＣ（制御部）、ディスプレイ、操作部等を備える。ＳｏＣは、スマートフォン１０１を構成する各部を制御する。ディスプレイは、テキスト、静止画、動画等を表示するＬＣＤ（Liquid Crystal Display）である。操作部は、ディスプレイと連動したタッチパネル、その他の操作ボタン等を有する。
【００２９】
ヘッドセット１とスマートフォン１０１とは、ＨＦＰ／ＨＳＰに従った通信、又は、Ａ２ＤＰに従った通信を行う。ＨＦＰ／ＨＳＰに従った通信を行っているときのモードを、マイク６への音声入力を受け付け、音声入力による指示等に従うモードであるため、ＡＩモード（第１モード）という。ＡＩモードは、ＨＦＰ／ＨＳＰに従った通信を行っているモードであるため、通話モードともいえる。Ａ２ＤＰプロファイルに従った通信を行っているときのヘッドセット１とスマートフォン１０１のモードを、音楽再生を行うモードであるため、音楽モード（第２モード）という。また、ＡＩモードと音楽モードとを含むモードを、ハイブリットモードという。ハイブリットモードについては後述する。スマートフォン１０１のＳｏＣは、ヘッドセット１、スマートフォン１０１のモードを制御する。
【００３０】
ＡＩモードにおいては、ヘッドセット１のＳｏＣ２は、マイク６に入力された音声信号をスマートフォン１０１に送信する。スマートフォン１０１のＳｏＣは、ヘッドセット１から送信された音声信号を受信する。スマートフォン１０１のＳｏＣは、受信した音声信号に基づいて、音声認識を行う。ＡＩモードでは、ユーザーにより、ボイストリガー（所定のキーワード）（例えば、例えば、「ハイ、オンキヨー」）が発せられ、ボイストリガーが認識された後、音声入力による指示等を受け付ける。なお、本実施形態では、スマートフォン１０１のＳｏＣにより、音声認識が行われるようになっている。これに限らず、スマートフォン１０１から外部のサーバーに、音声信号が送信され、外部のサーバーが音声認識を行うようになっていてもよい。
【００３１】
ユーザーは、スマートフォン１０１を操作して、いずれかのモードに設定可能である。スマートフォン１０１のＳｏＣは、操作部を介して、ＡＩモード、音楽モード、又は、ハイブリットモードの選択を受け付ける。ここで、ＡＩモードは、マイク６が音声入力待機状態であるため、消費電力が高く、音楽モードは、マイク６が音声入力待機状態でないため、消費電力が低い。
【００３２】
以下、各モードにおけるヘッドセット１、スマートフォン１０１の処理動作を説明する。なお、図２〜図４においては、ヘッドセット１を「ＢＴ機器」、スマートフォン１０１を「スマートデバイス」と記載している。図２は、ＡＩモードにおけるヘッドセット１、スマートフォン１０１の処理動作を示すシーケンス図である。スマートフォン１０１のＳｏＣは、ＡＩモードの選択を受け付けると、ヘッドセット１を通話モードに設定する。ユーザーは、ボイストリガーを発声する。ヘッドセット１のＳｏＣ２は、マイク６により集音されたボイストリガーを、スマートフォン１０１に送信する。
【００３３】
スマートフォン１０１のＳｏＣは、ヘッドセット１から送信されたボイストリガーを受信し、受信したボイストリガーの音声認識を行う。ＳｏＣは、ボイストリガーを認識し、音声入力によるボイストリガーを受け付けた後、その他の音声入力を受け付ける。
【００３４】
次に、ユーザーが、「音楽再生して」と発声したとする。ヘッドセット１のＳｏＣ２は、マイク６により集音された「音楽再生して」を、スマートフォン１０１に送信する。スマートフォン１０１のＳｏＣは、ヘッドセット１から送信された「音楽再生して」を受信して、音声認識を行う。ＳｏＣは、「音楽再生して」を理解し、「音楽を開始します」という音声テキストを作成し、ヘッドセット１に送信する。同時に、ＳｏＣは、音楽再生を開始するため、音楽をヘッドセット１に送信する。ここで、ヘッドセット１とスマートフォン１０１とは、ＡＩモード（通話モード）であるため、通話品質で音楽再生が行われる。ヘッドセット１のＳｏＣ２は、「音楽を開始します」という音声テキストを受信し、スピーカー４、５から出力する。
【００３５】
次に、ユーザーが、「音楽停止して」と発声したとする。ヘッドセット１のＳｏＣ２は、マイク６により集音された「音楽停止して」を、スマートフォン１０１に送信する。スマートフォン１０１のＳｏＣは、ヘッドセット１から送信された「音楽停止して」を受信して、音声認識を行う。ＳｏＣは、「音楽停止して」を理解し、「音楽を停止します」という音声テキストを作成し、ヘッドセット１に送信する。同時に、ＳｏＣは、ヘッドセット１への音楽の送信を停止する。ヘッドセット１のＳｏＣ２は、「音楽を停止します」という音声テキストを受信し、スピーカー４、５から出力する。
【００３６】
図３は、音楽モードにおけるヘッドセット１、スマートフォン１０１の処理動作を示すシーケンス図である。ヘッドセット１とスマートフォン１０１とは、デフォルトでは、音楽モードである。スマートフォン１０１のＳｏＣは、他のモードから、音楽モードの選択を受け付けると、ヘッドセット１を音楽モードに設定する。なお、上述のとおり、デフォルトでは、音楽モードのため、初期状態の場合、音楽モードへの設定は、不要である。ユーザーは、手動でスマートフォン１０１を操作して、スマートフォン１０１に音楽を再生させる。ＳｏＣは、音楽再生を開始するため、音楽をヘッドセット１に送信する。ここで、ヘッドセット１とスマートフォン１０１とは、音楽モードであるため、音楽品質で音楽再生が行われる。
【００３７】
次に、ユーザーは、手動でスマートフォン１０１を操作して、スマートフォン１０１に音楽再生を停止させる。ＳｏＣは、音楽再生を停止するため、ヘッドセット１への音楽の送信を停止する。
【００３８】
図４は、ハイブリットモードにおけるヘッドセット１、スマートフォン１０１の処理動作を示すシーケンス図である。ハイブリットモードでは、以下に説明するとおり、ＡＩ（通話）モードと、音楽モードと、が切り替わるモードである。スマートフォン１０１のＳｏＣは、ハイブリットモードの選択を受け付けると、ヘッドセット１を通話モードに設定する。ユーザーは、ボイストリガーを発声する。ヘッドセット１のＳｏＣ２は、マイク６により集音されたボイストリガーを、スマートフォン１０１に送信する。
【００３９】
スマートフォン１０１のＳｏＣは、ヘッドセット１から送信されたボイストリガーを受信し、受信したボイストリガーの音声認識を行う。ＳｏＣは、ボイストリガーを認識し、音声入力によるボイストリガーを受け付けた後、その他の音声入力を受け付ける。
【００４０】
次に、ユーザーが、「音楽再生して」と発声したとする。ヘッドセット１のＳｏＣ２は、マイク６により集音された「音楽再生して」を、スマートフォン１０１に送信する。スマートフォン１０１のＳｏＣは、ヘッドセット１から送信された「音楽再生して」を受信して、音声認識を行う。ＳｏＣは、「音楽再生して」を理解し、ヘッドセット１を音楽モードに設定する。次に、ＳｏＣは、「音楽を開始します」という音声テキストを作成し、ヘッドセット１に送信する。同時に、ＳｏＣは、音楽再生を開始するため、音楽をヘッドセット１に送信する。ここで、ヘッドセット１とスマートフォン１０１とは、音楽モードであるため、音楽品質で音楽再生が行われる。ヘッドセット１のＳｏＣ２は、「音楽を開始します」という音声テキストを受信し、スピーカー４、５から出力する。このように、ＳｏＣは、ハイブリットモード中のＡＩモードであるときに、音声入力に基づいて、音楽再生の指示を受け付けた場合、ヘッドセット１を、音楽再生を行う音楽モードに設定する。
【００４１】
次に、ユーザーが、「音楽停止して」と発声したとする。ここで、ヘッドセット１とスマートフォン１０１とは、音楽モードであるため、音声入力は、受け付けられない。言い換えれば、音楽モード時、スマートフォン１０１のＳｏＣは、音声入力を受け付けない。従って、音楽再生は、停止されない。次に、ユーザーは、手動でスマートフォン１０１を操作して、スマートフォン１０１に音楽再生を停止させる。ＳｏＣは、音楽再生を停止するため、ヘッドセット１への音楽の送信を停止する。また、ＳｏＣは、ヘッドセット１を通話モードに設定する。言い換えれば、ＳｏＣは、ハイブリットモード中の音楽モードにおいて、音声入力以外により、音楽再生停止の指示を受け付けた場合、ヘッドセット１を、ＡＩモードに設定する。なお、ハイブリットモード中ではないＡＩモード時、ＳｏＣは、音声入力に基づいて、音楽再生の指示を受け付けた場合であっても、ヘッドセット１を、音楽モードに設定しない。
【００４２】
以上説明したように、本実施形態では、スマートフォン１０１のＳｏＣは、ハイブリットモード中の、マイク６への音声入力を受け付けるＡＩモードにおいて、音声入力に基づいて、音楽再生の指示を受け付けた場合、ヘッドセット１を、音楽再生を行う音楽モードに設定する。これにより、音声入力を待機している状態であっても、音質よく音楽再生を行うことができる。また、既存のヘッドセット１において、音楽再生と音声入力（音声認識）とを併用することができる。
【００４３】
また、本実施形態では、スマートフォン１０１のＳｏＣは、ＡＩモード、音楽モード、又は、ハイブリットモードの選択を受け付ける。これにより、ユーザーは、趣向に応じて、いくつかのモードを切り替えることができる。
【００４４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４５】
上述の実施形態では、ＢＴ機器として、ヘッドセットを例示したが、これに限らず、マイク付スピーカー等であってもよい。
【産業上の利用可能性】
【００４６】
本発明は、音声認識を行う電子機器、電子機器の制御方法、及び、電子機器の制御プログラムに好適に採用され得る。
【符号の説明】
【００４７】
１  ヘッドセット（機器）
４、５  スピーカー
６  マイク
１０１  スマートフォン（電子機器）
【図１】
2020053740.tif 000003
【図２】
2020053740.tif 000004
【図３】
2020053740.tif 000005
【図４】
2020053740.tif 000006